(57)【要約】【課題】操作性を向上する装置、方法及びプログラムを提供すること。【解決手段】スマートフォン１は、タッチスクリーンディスプレイ２と、タッチスクリーンディスプレイ２に第１のシングルタッチジェスチャが行われるとタッチスクリーンディスプレイ２に表示された画像を拡大させ、タッチスクリーンディスプレイ２に対する第２のシングルタッチジェスチャが行われるとタッチスクリーンディスプレイ２に表示された画像を縮小させるコントローラ１０と、を備える。【選択図】図１
2013101547.tif 000002
【特許請求の範囲】
【請求項１】
タッチスクリーンディスプレイと、
前記タッチスクリーンディスプレイに対する第１のシングルタッチジェスチャが行われると前記タッチスクリーンディスプレイに表示された画像を拡大させ、前記タッチスクリーンディスプレイに対する第２のシングルタッチジェスチャが行われると前記タッチスクリーンディスプレイに表示された画像を縮小させるコントローラと、を備える装置。
【請求項２】
前記コントローラは、前記タッチスクリーンディスプレイに対する接触位置が移動した場合の軌跡が時計回りに円弧を描くジェスチャを前記第１のシングルタッチジェスチャとして検出し、前記タッチスクリーンディスプレイに対する接触位置が移動した場合の軌跡が反時計回りに円弧を描くジェスチャを前記第２のシングルタッチジェスチャとして検出する、
請求項１に記載の装置。
【請求項３】
前記コントローラは、前記第１のシングルタッチジェスチャ又は前記第２のシングルタッチジェスチャの軌跡の曲率が所定値以下であるときに、前記画像を拡大又は縮小させる、
請求項２に記載の装置。
【請求項４】
前記コントローラは、前記第１のシングルタッチジェスチャ又は前記第２のシングルタッチジェスチャの軌跡が描く円弧を含む円の中心点を拡大又は縮小の基点とする、
請求項１から３のいずれか１項に記載の装置。
【請求項５】
タッチスクリーンディスプレイを備えた装置において、前記装置が前記タッチスクリーンディスプレイに表示された画像を拡大又は縮小させる方法であって、
前記装置に設けられたコントローラが、前記タッチスクリーンディスプレイに対する第１のシングルタッチジェスチャが行われると前記タッチスクリーンディスプレイに表示された画像を拡大させ、前記タッチスクリーンディスプレイに対する第２のシングルタッチジェスチャが行われると前記タッチスクリーンディスプレイに表示された画像を縮小させる拡大縮小ステップ、
を含む方法。
【請求項６】
タッチスクリーンディスプレイを備えた装置において、前記装置に前記タッチスクリーンディスプレイに表示された画像を拡大又は縮小させるプログラムであって、
前記装置に設けられたコントローラが、前記タッチスクリーンディスプレイに対する第１のシングルタッチジェスチャが行われると前記タッチスクリーンディスプレイに表示された画像を拡大させ、前記タッチスクリーンディスプレイに対する第２のシングルタッチジェスチャが行われると前記タッチスクリーンディスプレイに表示された画像を縮小させる拡大縮小ステップ、
を前記装置に実行させるプログラム。
【発明の詳細な説明】
【技術分野】
【０００１】
本発明は、装置、方法及びプログラムに関する。特に、本発明は、タッチスクリーンディスプレイを有する装置、その装置を制御する方法及びその装置を制御するためのプログラムに関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。
【０００３】
タッチスクリーンディスプレイを備える装置の基本的な動作は、装置に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、この装置では、複数の指がタッチスクリーンディスプレイに接触しながら互いに近付く方向に移動するジェスチャであるピンチインにより、タッチスクリーンディスプレイに表示された画像を縮小する。また、この装置では、複数の指がタッチスクリーンディスプレイに接触しながら互いに遠ざかる方向に移動するジェスチャであるピンチアウトにより、タッチスクリーンディスプレイに表示された画像を拡大する。
しかし、ピンチイン及びピンチアウトは、複数の指で操作する必要があるため、より簡易的な操作によって操作性を向上することが求められていた。
【０００６】
本発明は、操作性を向上する装置、方法及びプログラムを提供することを目的とする。
【課題を解決するための手段】
【０００７】
本発明に係る装置は、タッチスクリーンディスプレイと、前記タッチスクリーンディスプレイに対する第１のシングルタッチジェスチャが行われると前記タッチスクリーンディスプレイに表示された画像を拡大させ、前記タッチスクリーンディスプレイに対する第２のシングルタッチジェスチャが行われると前記タッチスクリーンディスプレイに表示された画像を縮小させるコントローラと、を備える構成である。
【０００８】
また、本発明に係る装置では、前記コントローラは、前記タッチスクリーンディスプレイに対する接触位置が移動した場合の軌跡が時計回りに円弧を描くジェスチャを前記第１のシングルタッチジェスチャとして検出し、前記タッチスクリーンディスプレイに対する接触位置が移動した場合の軌跡が反時計回りに円弧を描くジェスチャを前記第２のシングルタッチジェスチャとして検出する構成でもよい。
【０００９】
また、本発明に係る装置では、前記コントローラは、前記第１のシングルタッチジェスチャ又は前記第２のシングルタッチジェスチャの軌跡の曲率が所定値以下であるときに、前記画像を拡大又は縮小させる構成でもよい。
【００１０】
また、本発明に係る装置では、前記コントローラは、前記第１のシングルタッチジェスチャ又は前記第２のシングルタッチジェスチャの軌跡が描く円弧を含む円の中心点を拡大又は縮小の基点とする構成でもよい。
【００１１】
また、本発明に係る方法は、タッチスクリーンディスプレイを備えた装置において、前記装置が前記タッチスクリーンディスプレイに表示された画像を拡大又は縮小させる方法であって、前記装置に設けられたコントローラが、前記タッチスクリーンディスプレイに対する第１のシングルタッチジェスチャが行われると前記タッチスクリーンディスプレイに表示された画像を拡大させ、前記タッチスクリーンディスプレイに対する第２のシングルタッチジェスチャが行われると前記タッチスクリーンディスプレイに表示された画像を縮小させる拡大縮小ステップを含む。
【００１２】
また、本発明に係るプログラムは、タッチスクリーンディスプレイを備えた装置において、前記装置に前記タッチスクリーンディスプレイに表示された画像を拡大又は縮小させるプログラムであって、前記装置に設けられたコントローラが、前記タッチスクリーンディスプレイに対する第１のシングルタッチジェスチャが行われると前記タッチスクリーンディスプレイに表示された画像を拡大させ、前記タッチスクリーンディスプレイに対する第２のシングルタッチジェスチャが行われると前記タッチスクリーンディスプレイに表示された画像を縮小させる拡大縮小ステップを前記装置に実行させる。
【発明の効果】
【００１３】
本発明によれば、操作性を向上することができる。
【図面の簡単な説明】
【００１４】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、実施形態に係るタッチスクリーンディスプレイに表示された画像の拡大又は縮小を説明する図である。
【図７】図７は、実施形態に係るタッチスクリーンディスプレイに表示された画像の拡大又は縮小を行う処理の流れを示すフローチャートである。
【発明を実施するための形態】
【００１５】
本発明を実施するための実施形態を、図面を参照しつつ詳細に説明する。以下では、タッチスクリーンディスプレイを備える装置の一例として、スマートフォンについて説明する。
【００１６】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１９】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２１】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２２】
タッチは、一の接触によるジェスチャである。すなわち、タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２３】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２４】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２５】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２６】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２７】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２８】
本実施形態では、１本の指により行われるジェスチャをシングルタッチジェスチャと呼ぶことがある。また、本実施形態では、２本以上の指により行われるジェスチャをマルチタッチジェスチャと呼ぶことがある。ピンチインおよびピンチアウトは、マルチタッチジェスチャである。また、タップ、フリックおよびスワイプ等は、１本の指で行われればシングルタッチジェスチャであり、２本以上の指で行われればマルチタッチジェスチャである。
【００２９】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３０】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３１】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３２】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３３】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３４】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３５】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３６】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３７】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３８】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３９】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００４０】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４１】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４２】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４３】
照度センサ４は、照度を検出する。例えば、照度とは、光の強さ、明るさ、輝度等である。照度センサ４は、例えば、ディスプレイ２Ａの輝度の調整に用いられる。
【００４４】
近接センサ５は、近隣の物体の存在を非接触で検出する。近接センサ５は、例えば、タッチスクリーンディスプレイ２が顔に近付けられたことを検出する。
【００４５】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４６】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４７】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４８】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４９】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００５０】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５１】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５２】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５３】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５４】
カメラ１２は、フロントフェイス１Ａに面している物体を撮影するインカメラである。カメラ１３は、バックフェイス１Ｂに面している物体を撮影するアウトカメラである。
【００５５】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５６】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５７】
このように構成されるスマートフォン１は、タッチスクリーンディスプレイ２に表示された画像を簡易的な操作で拡大又は縮小させることで操作性を向上することができる。なお、タッチスクリーンディスプレイ２に表示された画像とは、タッチスクリーンディスプレイ２の表示領域全体に表示されている画像である。以下、タッチスクリーンディスプレイ２に表示された画像を表示画像ともいう。以下に、具体的な構成について説明する。
【００５８】
図６（ａ）は、表示画像６０を示す図である。上述したように、表示画像６０は、タッチスクリーンディスプレイ２の表示領域全体に表示されている画像である。
【００５９】
コントローラ１０は、タッチスクリーンディスプレイ２に、一の接触による第１のシングルタッチジェスチャを検出したことに応じて、表示画像を拡大させる。ここで、一の接触とは、上述のように、タッチするジェスチャによって、タッチスクリーンディスプレイ２に指が接触している状態をいう。また、コントローラ１０は、タッチスクリーンディスプレイ２に、第１のシングルタッチジェスチャとは異なる、一の接触による第２のシングルタッチジェスチャを検出したことに応じて、表示画像を縮小させる。
【００６０】
具体的には、コントローラ１０は、スワイプによってタッチスクリーンディスプレイに対する一の接触の接触位置が移動した場合の接触位置の軌跡を点列データとしてストレージ９に一時的に記憶させる。コントローラ１０は、例えば、現在時刻から所定時間前までの接触位置の軌跡を点列データとする。点列データは、タッチスクリーンディスプレイ２における接触位置に対応する座標の集合である。また、所定時間は、例えば５００ミリ秒である。以下、ストレージ９に一時的に記憶された軌跡に係る情報を軌跡情報という。
【００６１】
続いて、コントローラ１０は、ストレージ９に一時的に記憶された軌跡情報に基づいて、軌跡の曲率を計算し、当該曲率の円弧を含む円の半径を決定する。すなわち、コントローラ１０は、点列データから所定数の点をサンプリングし、サンプリングされた複数の点の座標に基づいて曲率を算出する。なお、円弧を含む円とは、円周の一部に上記円弧が含まれている円のことをいう。
【００６２】
続いて、コントローラ１０は、上記軌跡の位置及び上記円の半径に基づいて、タッチスクリーンディスプレイ２における円の中心の位置を決定する。続いて、コントローラ１０は、上記中心から上記半径の円を描く場合において、ストレージ９に記憶された軌跡情報に基づいて、軌跡が時計回りに円弧を描く軌跡であるか、反時計回りに円弧を描く軌跡であるかを判定する。
【００６３】
コントローラ１０は、時計回りに円弧を描く軌跡であると判定した場合に、上記軌跡に対応する接触位置の移動を第１のシングルタッチジェスチャとして検出する。また、コントローラ１０は、反時計回りに円弧を描く軌跡であると判定した場合に、上記軌跡に対応する接触位置の移動を第２のシングルタッチジェスチャとして検出する。
【００６４】
続いて、コントローラ１０は、第１のシングルタッチジェスチャを検出したことに応じて、表示画像を拡大する。また、コントローラ１０は、第２のシングルタッチジェスチャを検出したことに応じて、表示画像を縮小する。
例えば、コントローラ１０は、図６（ｂ）に示される矢印に沿った軌跡が描かれることによって第１のシングルタッチジェスチャを検出すると、図６（ｃ）に示すように、表示画像６０を拡大する。また、コントローラ１０は、図６（ｄ）に示される矢印に沿った軌跡が描かれることによって第２のシングルタッチジェスチャを検出すると、図６（ｅ）に示すように、表示画像６０を縮小する。
【００６５】
コントローラ１０は、スワイプするジェスチャを検出した後、リリースするジェスチャを検出した場合、ストレージ９に記憶されている軌跡情報を消去させる。この場合において、コントローラ１０は、表示画像の拡大又は縮小を維持する。なお、コントローラ１０は、リリースするジェスチャを検出した場合に、第１のシングルタッチジェスチャ又は第２のシングルタッチジェスチャの検出に応じて行われた拡大又は縮小を解消するようにしてもよい。
【００６６】
したがって、スマートフォン１は、第１のシングルタッチジェスチャ又は第２のシングルタッチジェスチャを検出したことに応じて表示画像を拡大又は縮小するので、一の接触によって表示画像を拡大又は縮小させることができる。
【００６７】
また、スマートフォン１は、ユーザがタッチスクリーンディスプレイ２に対して一本の指で円又は円弧を描くような操作を行ったことに応じて、表示画像を拡大又は縮小させることができる。例えば、ユーザがタッチスクリーンディスプレイ２に対して親指で円又は円弧を描く操作を行う場合、当該ユーザは、スマートフォン１を持ち替えることなく円又は円弧を描くことが可能である。よって、スマートフォン１では、一本の指によって表示画像を拡大又は縮小させることができるので、操作性を向上することができる。
【００６８】
なお、コントローラ１０は、第１のシングルタッチジェスチャを検出した場合に表示画像を拡大し、第２のシングルタッチジェスチャを検出した場合に表示画像を縮小したが、これに限られない。コントローラ１０は、第１のシングルタッチジェスチャを検出した場合に表示画像を縮小し、第２のシングルタッチジェスチャを検出した場合に表示画像を拡大するようにしてもよい。
【００６９】
また、コントローラ１０は、上記半径と上記軌跡の長さに応じて、拡大率を変更するようにしてもよい。このような構成において、ストレージ９に対して、半径と、円弧の長さと、拡大率とを関連付けた対応表を記憶しておく。そして、コントローラ１０は、第１のシングルタッチジェスチャ又は第２のシングルタッチジェスチャを検出した場合に、ストレージ９に記憶された対応表を参照して、ストレージ９に一時的に記憶された円弧の長さと、上記半径とに対応する拡大率を決定する。そして、コントローラ１０は、決定された拡大率に基づいて拡大又は縮小を行う。
【００７０】
また、上述では、スマートフォン１の構成と動作について説明したが、これに限られず、各構成要素を備え、操作性を向上させるための方法や、プログラムとして構成されてもよい。
【００７１】
コントローラ１０は、第１のシングルタッチジェスチャ又は第２のシングルタッチジェスチャの軌跡の曲率が所定値以下である場合、画像を拡大又は縮小させる。具体的には、コントローラ１０は、時計回りに円を描く軌跡であると判定した場合、及び反時計回りに円を描く軌跡であると判定した場合において、当該軌跡の曲率が所定値以下である場合、表示画像を拡大又は縮小させる。
ここで、曲率が大きい場合には、ユーザの意図しないスワイプによって偶然に描かれた円弧である可能性がある。したがって、スマートフォン１は、曲率が所定値以下の場合に表示画像を拡大又は縮小させることによって、ユーザが意図しない円弧の描画による誤操作を防止することができる。
【００７２】
なお、コントローラ１０は、軌跡の曲率が所定値以下である場合、表示画像を拡大又は縮小させるようにしたが、これに限られない。コントローラ１０は、軌跡の曲率が所定の範囲に含まれる場合、表示画像を拡大又は縮小させるようにしてもよい。
ここで、曲率が所定の値より小さい場合には、ユーザの意図しないスワイプによって偶然に描かれた直線である可能性がある。したがって、スマートフォン１は、曲率が所定範囲に含まれる場合に表示画像を拡大又は縮小させることによって、ユーザが意図しない円弧の描画による誤操作をさらに防止することができる。
【００７３】
コントローラ１０は、コントローラは、第１のシングルタッチジェスチャ又は第２のシングルタッチジェスチャの軌跡が描く円弧を含む円の中心点を拡大又は縮小の基点とする。具体的には、コントローラ１０は、上述したように、上記軌跡の位置及び上記円の半径に基づいて、決定された円の中心の位置を拡大又は縮小の基点とする。
したがって、スマートフォン１は、ユーザによって描かれた円弧を含む円の中心位置を基点として表示画像を拡大又は縮小させるので、ユーザに対して、直感的に拡大又は縮小を行わせることができる。
【００７４】
コントローラ１０は、表示画像に文字が含まれ、かつ、画像を表示させているアプリケーションが所定のアプリケーションの場合、文字ポイントの変更を行うことにより、表示画像を拡大又は縮小させる。
【００７５】
具体的には、ストレージ９に、文字ポイントの拡大又は縮小が可能なアプリケーションのリストを記憶させておく。また、ストレージ９に、上記軌跡から算出された半径と、上記軌跡の長さと、文字ポイントの変更量との対応表をストレージ９に記憶させておく。コントローラ１０は、ストレージに記憶されたアプリケーションのリストに基づいて、画像を表示させているアプリケーションが所定のアプリケーションであるか否かを判定する。そして、コントローラ１０は、所定のアプリケーションであると判定した場合において表示画像に文字が含まれているとき、第１のシングルタッチジェスチャ又は第２のシングルタッチジェスチャを検出したことに応じて、当該対応表に基づいて文字ポイントの変更を行う。これにより、文字が含まれている表示画像の拡大又は縮小が行われる。
【００７６】
したがって、スマートフォン１は、表示画像に文字が含まれている場合に文字ポイントの変更を行うので、例えば文字フォントがベクトルフォントである場合、拡大率が高い場合であっても、文字を構成する線を滑らかに表示することができる。
【００７７】
つぎに、スマートフォン１による、タッチスクリーンディスプレイ２に表示された画像の拡大又は縮小を行う処理の流れについて、図７に示すフローチャートを参照しながら説明する。
【００７８】
ステップＳＴ１において、コントローラ１０は、タッチスクリーンディスプレイ２においてスワイプするジェスチャが行われると、ストレージ９に接触位置の軌跡を記憶させる。ここで、コントローラ１０は、現在時刻から所定時間前までの接触位置の軌跡をストレージ９に記憶させる。
【００７９】
ステップＳＴ２において、コントローラ１０は、ストレージ９に記憶された軌跡が、時計回りに円弧を描く軌跡であるか否かを判定する。コントローラ１０は、この判定がＹＥＳの場合、ステップＳＴ３に処理を移し、この判定がＮＯの場合、ステップＳＴ５に処理を移す。
【００８０】
ステップＳＴ３において、コントローラ１０は、ストレージ９に記憶された軌跡を円弧とする円の面積を算出し、算出された円の面積が所定値以上であるか否かを判定する。コントローラ１０は、この判定がＹＥＳの場合、ステップＳＴ４に処理を移し、この判定がＮＯの場合、ステップＳＴ５に処理を移す。
ステップＳＴ４において、コントローラ１０は、表示画像を拡大させる。
【００８１】
ステップＳＴ５において、コントローラ１０は、ストレージ９に記憶された軌跡が、反時計回りに円弧を描く軌跡であるか否かを判定する。コントローラ１０は、この判定がＹＥＳの場合、ステップＳＴ６に処理を移し、この判定がＮＯの場合、ステップＳＴ８に処理を移す。
【００８２】
ステップＳＴ６において、コントローラ１０は、ストレージ９に記憶された軌跡を円弧とする円の面積を算出し、算出された円の面積が所定値以上であるか否かを判定する。コントローラ１０は、この判定がＹＥＳの場合、ステップＳＴ７に処理を移し、この判定がＮＯの場合、ステップＳＴ８に処理を移す。
ステップＳＴ７において、コントローラ１０は、表示画像を縮小させる。
【００８３】
ステップＳＴ８において、コントローラ１０は、タッチスクリーンディスプレイ２から指がリリースするジェスチャを検出したか否かを判定する。コントローラ１０は、この判定がＹＥＳの場合、本フローチャートの処理を終了し、この判定がＮＯの場合、ステップＳＴ１に処理を移す。なお、本フローチャートの処理が終了しても、表示画像の拡大又は終了は維持される。
【００８４】
したがって、スマートフォン１は、第１のシングルタッチジェスチャ又は第２のシングルタッチジェスチャを検出したことに応じて表示画像を拡大又は縮小するので、一の接触によって表示画像を拡大又は縮小させることができる。よって、スマートフォン１では、一本の指によって表示画像を拡大又は縮小させることができるので、操作性を向上することができる。
【００８５】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
【００８６】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【００８７】
本発明を完全かつ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【００８８】
例えば、図５に示した各プログラムは、複数のモジュールに分割されていてもよいし、他のプログラムと結合されていてもよい。
【００８９】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【００９０】
また、上記の実施形態では、コントローラが、第１のシングルタッチジェスチャ及び第２のシングルタッチジェスチャが、１本の指で円弧を描くジェスチャであるものとしたが、これに限られない。
例えば、タッチスクリーン２Ｂの検出方式が静電容量方式である場合、コントローラ１０は、タッチされた面積を検出するようにしてもよい。このようにすることで、コントローラ１０は、例えば、指の腹でタッチスクリーンディスプレイ２にタッチされた場合のタッチ面積を検出できる。以下、シングルタッチジェスチャによってタッチスクリーンディスプレイ２に接触した面積を接触面積という。
【００９１】
この場合において、コントローラ１０は、接触面積が第１の面積以上である状態で、所定時間内に第１の方向（例えば右方向）へ接触位置を移動させるジェスチャが行われると、これらのジェスチャを第１のシングルタッチジェスチャとしてもよい。
また、コントローラ１０は、第１の面積以上である状態で、所定時間内に第２の方向（例えば左方向）へ接触位置を移動させるジェスチャが行われると、これらのジェスチャを第２のシングルタッチジェスチャとしてもよい。
【００９２】
また、コントローラ１０は、接触面積が第２の面積以上である状態において、所定時間内にフリックするジェスチャが行われると、これらのジェスチャを第１のシングルタッチジェスチャとしてもよい。また、コントローラ１０は、接触面積が第２の面積より大きい第３の面積以上である状態において、所定時間内にフリックするジェスチャが行われると、これらのジェスチャを第２のシングルタッチジェスチャとしてもよい。
【符号の説明】
【００９３】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  テーブル
９Ｅ  配置パターンデータベース
９Ｚ  設定データ
１０    コントローラ
１２、１３  カメラ
１４    外部インターフェイス
１５    加速度センサ
１６    方位センサ
１７    回転検出センサ
２０    ハウジング
【図１】
2013101547.tif 000003
【図２】
2013101547.tif 000004
【図３】
2013101547.tif 000005
【図４】
2013101547.tif 000006
【図５】
2013101547.tif 000007
【図６】
2013101547.tif 000008
【図７】
2013101547.tif 000009